(57)【要約】【課題】個人のセキュリティー情報（プライバシー情報）を守り、且つ、個人向けの情報を付加することができ、それぞれのユーザに適応したレイアウト表示が可能な画像編集装置を提供すること。【解決手段】本発明に係る画像編集装置は、複数の画像を複数ページに亘ってレイアウトする画像編集装置であって、パソコン内の画像データ（静止画、動画、テキスト、音声等）を複数ページに亘ってレイアウトする手段と、レイアウトした個々の画像データにユーザ毎に異なるアクセス権限を付加する手段と、ユーザ認証を行う手段と、認証された個々のユーザに応じて画像を見栄え良く自動的にレイアウト変更して表示する手段と、選択した画像に付加した個人向けの付属情報を表示する手段とを有する。【選択図】図１
2006221494.tif 000002
【特許請求の範囲】
【請求項１】
複数の画像を複数ページに亘ってレイアウトする画像編集装置であって、パソコン内の画像データ（静止画、動画、テキスト、音声等）を複数ページに亘ってレイアウトする手段と、レイアウトした個々の画像データにユーザ毎に異なるアクセス権限を付加する手段と、ユーザ認証を行う手段と、認証された個々のユーザに応じて画像を見栄え良く自動的にレイアウト変更して表示する手段と、選択した画像に付加した個人向けの付属情報を表示する手段とを有することを特徴とする画像編集装置。
【請求項２】
前記画像データをレイアウトする手段は、データのサムネイル（縮小画像）を作成し、該サムネイルを複数頁に好みのレイアウトで編集することを特徴とする請求項１記載の画像編集装置。
【請求項３】
前記画像データは少なくとも、静止画、動画、テキスト、音声のうちのどれか１つ以上を含むデータであり、該データ及びデータの特徴を表す画像の縮小画像を任意の縮小率で作成する手段を有することを特徴とする請求項１記載の画像編集装置。
【請求項４】
前記画像データをレイアウトする手段は、予め設定されているそれぞれの画像データに対するユーザのアクセス権限に応じて、それぞれの頁にレイアウトすべきサムネイルの種類と表示位置を決定する決定工程と、該決定工程における決定に応じてそれぞれの頁にサムネイルを自動的にレイアウトするレイアウト工程を有することを特徴とする請求項１記載の画像編集装置。
【請求項５】
前記画像データにユーザ毎に異なる権限を付加する手段は、本発明の操作を行うためのグラフィカルユーザインターフェース（以後、ＧＵＩ）を使って、サムネイル画像をレイアウトし、レイアウトされたサムネイルに対し、アクセス権限をユーザごとに割り当てていく手段を有することを特徴とする請求項１記載の画像編集装置。
【請求項６】
前記アクセス権限は、それぞれのサムネイル画像について可視又は不可視を許可する画像可視権と、これらのサムネイル画像の付属情報についての可視又は不可視を許可する付属情報可視権を有することを特徴とする請求項１記載の画像編集装置。
【請求項７】
前記ユーザ認証手段は、複数頁の集合（以下、電子アルバム）単位で行うことを特徴とし、事前に登録されているＩＤやパスワードと照合し、認証されたユーザが各頁を見ることができる手段を有することを特徴とする請求項１記載の画像編集装置。
【請求項８】
前記付属情報を表示する手段は、ユーザがマウス等でレイアウトされている任意の画像を選択した場合に、該ユーザのアクセス権限に応じて付属情報を決定する決定工程と、該決定工程における決定に応じて付属情報をサブウインドウに表示することを特徴とする請求項１記載の画像編集装置。
【請求項９】
前記表示手段は、前記認証された個々のユーザのアクセス権を検証する検証工程と該検証工程における検証に応じてサムネイルの閲覧の可否を決定する決定工程と、該決定工程における決定に応じてそれぞれのサムネイルをレイアウト変更して表示することを特徴とする請求項１記載の画像編集装置。
【請求項１０】
サーバ装置と、クライアント装置を含む画像編集装置であって、前記クライアント装置が、サーバ装置によって管理された文書を、クライアントのセキュリティレベルに応じたアイコンで表示する手段を有することを特徴とする請求項１記載の画像編集装置。
【発明の詳細な説明】
【技術分野】
【０００１】
本発明は、写真や文字等のディジタル画像を所望の形式でレイアウトする、例えば電子アルバムシステム等の画像編集装置に関するものである。
【背景技術】
【０００２】
コンピュータへの画像入力装置として、昨今デジタルカメラが広く使われるようになっている。こうしたデジタルカメラは、今後益々シェアを拡大し、一般家庭での使用率も著しく拡大すると予測される。一般家庭でのデジタルカメラの使用に関連するソフトウェアとしては、デジタルカメラで撮影したイメージをパソコン上で見るという従来のアルバム代わりの使い方が最も多いと推測できる。ここでは、この「スナップ写真等の画像データをパソコン上でレイアウトし、閲覧するシステム」を電子アルバムと呼ぶことにする。
【０００３】
従来の汎用の画像データベースシステムに比較して、電子アルバムは従来の紙ベースのアルバムと同様に、画像を貼り付ける（レイアウトする）ところに違いがある。こうした電子アルバムは、今後各社から益々商品化されると予想される。既に商品化されているシステムとしては、子供の成長記録を写真と音声で編集してＣＤ−ＲＯＭ化し、パソコン上で見るようなものもある。今後ハードウェアの進歩で写真１枚当たりの価格が更に低くなると予想されるので、こうした電子アルバムの市場は、益々拡大すると考えられる。
【０００４】
しかし、このような従来の電子アルバムは、殆どが任意のユーザ用に作成されたものであり、複数のユーザが同時に見れるシステム構成になっていなかった。又、セキュリティ面からユーザごとに配慮されたシステムも少なかった。
【０００５】
これまで、結婚式や各種パーティ等で撮影したスナップ写真を複数のユーザに見せる方法としては、１）パソコンにデータを取り込み電子メールに添付して、それぞれのユーザに送る手法が採られていた。又、２）ホームページに写真を掲載する等の手法が採られていた。又、３）専門の業者に依頼して、電子アルバムを作成してもらい、ＣＤ−ＲＯＭのような記録媒体に収録してもらって配布していた。又、個人のプライバシーを守るためには、４）他人には見せられない画像にモザイク処理を施し、パスワードを入力することで、モザイクを解除する等の手法が採られていた。
【０００６】
【特許文献１】特開平６−３４８８０８号公報
【発明の開示】
【発明が解決しようとする課題】
【０００７】
しかしながら、上述のシステムでは、１）の方法は画像データの容量等から、多くのデータを送ることができなった。又、２）の方法は、誰にでも閲覧できてしまうので、個人のプライバシーがなくなってしまうという問題点があった。又、３）の専門の業者に依頼する方法は、費用が莫大に掛かり過ぎるという問題点と、思い通りのアルバムを作成するのが困難であるという問題点と追加変更ができないという問題点があった。又、４）の方法はユーザ単位のセキュリティ情報に対応していないという問題点があった。
【０００８】
本発明は、上述した従来の技術の有する問題点を解決するために考えられたものであり、個人のセキュリティー情報（プライバシー情報）を守り、且つ、個人向けの情報を付加することができ、それぞれのユーザに適応したレイアウト表示が可能な画像編集装置を提供することを目的とする。
【課題を解決するための手段】
【０００９】
上記課題を解決するために、本発明に係る画像編集装置は、複数の画像を複数ページに亘ってレイアウトする画像編集装置であって、パソコン内の画像データ（静止画、動画、テキスト、音声等）を複数ページに亘ってレイアウトする手段と、レイアウトした個々の画像データにユーザ毎に異なるアクセス権限を付加する手段と、ユーザ認証を行う手段と、認証された個々のユーザに応じて画像を見栄え良く自動的にレイアウト変更して表示する手段と、選択した画像に付加した個人向けの付属情報を表示する手段とを有することを特徴とする。
【発明の効果】
【００１０】
本発明に係る画像編集装置によれば、次のような効果が得られる。
（１）本システムでは、サーバ上に置いた電子アルバムを、予めユーザ登録したユーザだけがダウンロードすることができるので、電子アルバムのセキュリティを保持することができる。
（２）ユーザのアクセス権の違いにより、ダウンロード時にレイアウトを変更するので、画像を編集する側では、ユーザごとに異なった編集をしなくても、個々の閲覧する人に特化したレイアウトを提供できる。これにより、ユーザごとに編集し直したり、画像を選んで送る等の手間が大幅に省けるという効果がある。
（３）特定のユーザに対して、見せたくない写真をレイアウトから除外しても、レイアウトパターンを自動的に変更し、違和感のないレイアウトで表示し直すので、ユーザに不快感を与えない。
（４）自分の好みの写真等を予め用意されているレイアウトパターンを利用し、簡易な方法でレイアウトできるので編集する側の負担が軽減される。
（５）外部の業者に依頼することなく、個人でアルバムを作成できるので、手作りの楽しさを得ることができ、費用も掛からない。
（６）閲覧する側のそれぞれのユーザにとっては、自分一人の大映りの写真等は自分にしか見えないので、プライバシーを守ることができる。
（７）自分当ての音声や画像、テキストによるメッセージ等が添えられているので、喜びが倍増する等の効果がある。 
（８）特定のユーザにだけ情報を届けたい場合、例えば、新居の住所と地図や、新居への招待状等を新居の写真に添付することもできるので、情報を送る手間を省くことができる。
（９）ダウンロードしたときのレイアウト情報や、アクセス権に基づいてレイアウト変更や付属情報が付加されるので、ダイナミックな情報を提供することが可能である。これにより、常に最新のアルバムと、情報を提供することができる。
（１０）サムネイル画像を貼り付けているので、ダウンロード時間や画像表示の時間を短縮でき、ページ数が多くなっても、高速な処理が可能である。
【発明を実施するための最良の形態】
【００１１】
以下に本発明の実施の形態を添付図面に基づいて説明する。
【００１２】
本実施の形態は、コンピュータ上で画像データを所望の形式でレイアウトした電子アルバムを、ネットワークを介して複数のユーザが閲覧するためのシステムを例として説明する。以後、サーバ上でアルバムを作成するものをアルバム作成者、作成されたアルバムを閲覧するものをユーザと定義して説明する。
【００１３】
図１は本発明の実施形態の画像編集装置の装置構成を示すブロック図である。
【００１４】
図１において、１０１は記録部であり、各種処理に必要なプログラム等のデータを記憶するためのメモリ等の記憶装置が用いられる。１０２は画像蓄積部であり静止画、動画、テキスト等の画像データを保存するためのもので、ハードディスク、ＭＯ、ＺＩＰ、ＰＤ等の各種の記憶装置を用いることができる。１０３はサムネイル蓄積部であり、画像データを任意の縮小率で縮小した縮小画像（以下、サムネイル）を保存するためのハードディスク、ＭＯ、ＺＩＰ、ＰＤ等の各種の記憶装置である。
【００１５】
１０４は付属情報蓄積部であり、画像に付属するテキスト、動画、静止画から構成される情報を保存するためのハードディスク、ＭＯ、ＺＩＰ、ＰＤ等の各種の記憶装置である。１０５操作指示入力部であり、キーボードを用いて文字、数字を入力したり、マウス等のポインティングデバイスを用いてコマンドや画像を選択したりするためのものである。
【００１６】
１０６は表示部であり、本システムのグラフィカルユーザインターフェース（以下、ＧＵＩと略す）の各種ウインドウや、電子アルバム等を表示するためのもであり、ＣＲＴ等のモニタ画面を用いることができる。１１０は本実施形態の各構成全ての制御を含む全体制御を司る制御部であり、記録部１０１に予め格納された処理プログラムを読み出して実行することで、後述するような各処理及びシステム全体の動作制御を行う。
【００１７】
１１１は認証部であり、本システムに登録したユーザのアクセス権限を認証するための機構である。１１２はアクセス権設定部であり、それぞれの画像に対してユーザのアクセス権を設定する機構である。１１３はアクセス権検証部であり、１１２で設定されたアクセス権を読み出す機構である。１１４はサムネイル作成部であり、それぞれの画像のサムネイルを作成する機構である。１１５は初期レイアウトを行うための機構であり、ここで、各ユーザが閲覧する前の基本的なアルバムのレイアウトを作成する。
【００１８】
１１６はレイアウト変更部であり、各ユーザが閲覧する際に各ユーザのアクセス権に基づいてレイアウトを変更するための機構である。１１７は付属情報抽出部であり、アルバム上の画像がユーザによって選択された際に、アクセス権に応じた付属情報を抽出するための機構である。本システムの実施形態は、ネットワークシステム上に構築され、サーバとクライアントで基本的に構成される。
【００１９】
本実施形態は、例えば、サーバ上で、任意の画像からサムネイル画像を作成し、該サムネイル画像をアルバムにレイアウト（貼り付け）し、クライアント側では、サムネイル画像と付属情報、又、これらのレイアウト情報とユーザ管理テーブル等と一緒にアルバムをダウンロードする場合を想定して説明する。
【００２０】
図２は本発明の一実施形態の画像編集装置のサーバにおいてアルバムのレイアウト編集を行うためのグラフィカル・ユーザ・インタフェース（以下、ＧＵＩと略す）の一例を示す図である。
【００２１】
図２の２０１は操作メニュー部分であり、アルバムの新規作成、１ページにレイアウトする画像数の設定、印刷及びファイルの保存処理を選択するためのボタンを用意している。２３０はサムネイル画像をレイアウトするためのアルバム画像であり、２０２はアルバム名称を入力するための文字フィールドである。２０３はページ送りやレイアウトのテンプレートを選択するためのツールバーであり、２２０は画像データを表示する画面である。
【００２２】
次に、以上の構成を備える本実施形態の画像編集装置において、先ず、サーバ側でアルバム作成者がアルバムを作成する処理手順を図３−１の処理フローに基づき説明する。
（ステップＳ３１０１）：
先ず、ステップＳ３１０１において、本システムにユーザの登録を行う。登録されたユーザは、アルバムを閲覧することができる。ユーザのＩＤとパスワード等のユーザ情報を図４に示すユーザ管理テーブルに格納する。
（ステップＳ３１０２）：
ここでは、レイアウト編集を行い、各ページに任意の画像をレイアウトする処理を行う。上記レイアウト編集の処理手順に関して、図３−２のフロー図に基づき詳しく説明する。
（ステップＳ３２０１）：
先ず、ステップＳ３２０１で、レイアウトを行う頁を選択する処理を行う。図２のＧＵＩに基づいて詳しく説明する。図２の２０４はアルバムの頁を選択するためのツールバーの例を示した図である。このツールバーを用いて任意の頁を選択すると、任意の頁が図２の２０２に表示される。
（ステップＳ３２０２）：
ここでは、レイアウトを行う際に使用するテンプレートを設定する。テンプレートの種類は図２の２０３に示すツールバーで選択することができる。本システムにおけるテンプレートは、画像をレイアウトする際に目安となる位置と、サイズを表示し、該位置の付近に配置した場合でも、正確に位置を調整するためのものである。２０３のツールバーでは、例えば、１ページに６枚から１枚までのの画像をレイアウトするためのテンプレート等を選択することができる。図２の２３０は１ページに６枚の画像をレイアウトするタイプを選択した様子を示した図であり、２３１〜２３６は画像を貼り付ける領域を示している。
（ステップＳ３２０３）：
ここでは、レイアウトする画像を選択する。図２の２０１のメニューから「ファイル」を選択し、任意の画像が格納されているフォルダを選択すると、２２０の領域に選択されたフォルダの中に格納されている画像ファイルをアイコン表示する。２２１は選択されたフォルダを示し、２２２は画像ファイルを示している。これらの画像ファイルをマウス等でクリックすることにより画像を選択する。
（ステップＳ３２０４）：
ここでは、画像をレイアウトする処理を行う。先ず、前記ステップにおいて選択した画像ファイルを、２３０のアルバム画像上のレイアウトエリア２３１にドラッグ＆ドロップすることにより、目的のエリアに画像を貼り付けることができる。このとき、図１のサムネイル作成部１１４において、該エリアのサイズに合わせてて、選択された画像のサムネイル画像を作成する。該サムネイル画像は、アルバム画像上にレイアウトするための画像で、迅速に表示するためにデータ量を減らして作成する。
【００２３】
次に、具体的なサムネイル画像の作成方法を図６を用いて説明する。
【００２４】
先ず、サムネイル画像のサイズをアルバム画像のレイアウトエリアのサイズから割り出す。図６の６０１はアルバム画像のｘサイズ（＝ｘｓ）、６０２はｙサイズである（＝ｙｓ）。６０３はサムネイル画像領域（一辺をｌｓとする）であり、６０４はサムネイル画像間の隙間（＝ｒｓ）である。図６に示すレイアウトパターンから、サムネイル画像の長い方の１辺のサイズを求めるには、例えばｘｓ：１ｓ：ｒｓ＝ｓ１：ｓ２：ｓ３、ｘｓ＝ｎ（ピクセル）とすると、ｌｓ＝ｎ＊ｓ２／ｓ１（ピクセル）で求めることができる。
【００２５】
更に、サムネイル画像の短い方の１辺のサイズは原画像の縦横比と同じであるのでこの比から求めることができる。このサイズに合わせて、原画像データを縮小し、サムネイル画像を作成する。又、作成したサムネイル画像ファイルのファイル名及びサイズ等を図５のレイアウト情報テーブルに格納する。
（ステップＳ３２０５）：
ここでは、図２の２０２入力フィールドからアルバム名を入力する。例えば、「花子１０歳まで」、「結婚記念」等、ユーザーが所望の名前を付けることができる。上記入力されたアルバム名を、図５のイアウト情報テーブルに格納する。
（ステップＳ３２０６）：
ここでは、レイアウトを終了するかをチェックする。レイアウトを終了する場合は終了し、終了しない場合はＳ３２０１に戻り、他の頁を選択し、一連の処理を繰り返す。
（ステップＳ３１０３）：
図３−１の処理フローに戻り、上記ステップでレイアウトされたそれぞれの画像に付属情報を付加していく。例えば、画像を右クリックすると、プルダウンメニューを表示し、このメニューの中から、付属情報が格納されているフォルダを開き、任意のファイルを選択することで、付加することができる。付加したファイルは、例えば、テキストファイル等であり、これらのファイルのファイル名を図５のレイアウト情報テーブルに格納し、ファイル自体を図１の付属情報蓄積部に格納する。
（ステップＳ３１０４）：
ここでは、アクセス権の設定を行う。アクセス権の設定は上記ステップでレイアウトしたそれぞれの画像に、ユーザ毎に異なるアクセス権限を付加していく。アクセス権を付加する処理手順を図７に示すようなアクセス権設定画面に基づき詳しく説明する。
【００２６】
先ず、アクセス権を付加したい画像が貼り付けられているエリアを例えばマウス等でダブルクリックする等して選択すると、図７に示すようなアクセス権設定画面を図２のＧＵＩの２２０部分に表示する。
【００２７】
図７の７０１は、登録されている全てのユーザリストで、この中から、任意のユーザを選択することができる。図７の７０２は、選択したエリアに貼り付けた写真の閲覧権を設定するための画面であり、可視、不可視の権限を有するユーザーを７０１のリストから選択し、追加又は削除することができる。
【００２８】
又、図７の７０３は付属情報の閲覧権を設定するための画面であり、写真の閲覧権と同様に７０１のリストから選択し、追加又は削除することができる。写真の閲覧権の設定では、（可視）権利をデフォルトで、全てのユーザーに与えるように設定する。又、付属情報の閲覧権の設定では、（不可視）権利をデフォルトで設定している。図７の例では、ユーザＩＤ＝ＦのＦＦＦさんを不可視に設定した。又、付属情報の設定ではユーザＩＤ＝Ａ，Ｂ，Ｃを可視に設定した。このようにして、設定した画像（エリア）ごとのアクセス権を図５のレイアウト情報テーブルに格納する。
（ステップＳ３１０５）：
ここでは、アルバム作成を終了するか否かを判定し、終了しない場合は、Ｓ３１０２のレイアウト編集に戻る。
【００２９】
次に、クライアント側で、アルバムをダウンロードし、閲覧する処理手順について図３−３の処理フロー図に基づいて説明する。
【００３０】
ダウンロードの際に、クライアント側には、図１の１０３サムネイル蓄積部と、１０４付属情報蓄積部、１１６のレイアウト変更部、１１７の付属情報抽出部、１１３のアクセス権検証部が、ダウンロードされ、クライアントのＰＣ上で新しいレイアウトが作成される。
（ステップＳ３３０１）：
先ず、ここでは、クライアント（以後ユーザ）が自分のＩＤとパスワードを入力する。
（ステップＳ３３０２）：
ここでは、上記ステップでユーザが入力したＩＤとパスワードを図４のユーザ管理テーブルに登録されているかをチェックする。登録されている場合はＳ３３０１に戻る。
（ステップＳ３３０３）：
ＩＤとパスワードを確認し、正しいと判断した場合は、アルバム画像を表示し、ページめくりを可能な状態にする。ここで、ユーザは、任意のページを選択する。以下のステップからは、ユーザが選択したページごとのレイアウト変更と表示の処理手順の説明になる。
（ステップＳ３３０４）：
ここでは、ユーザが選択したページのレイアウトパターンに従ってパターンのエリアごとに貼り付けられている写真の閲覧権を図５のレイアウト情報テーブルでチェックする処理を行う。例えば、レイアウトパターンが６枚の場合は、エリアｉ (ｉ＝１〜６) までを順番にチェックする。
（ステップＳ３３０５）：
エリアｉのアクセス権が写真可視の場合は次のステップへ進み、エリアｉの写真フラグをＯＮにする。写真フラグをデフォルトで、ＯＦＦに設定しておく。
（ステップＳ３３０６）：
次に、エリアｉの写真に付属情報が付加されているかをチェックする。
（ステップＳ３３０７）：
付属情報が付加されている場合は、レイアウト情報テーブルを用いてユーザに閲覧権があるかないかをチェックする。
（ステップＳ３３０８）：
閲覧権がある場合には、エリアｉの付属情報フラグをＯＮにする。
（ステップＳ３３０９）：
次のエリアについても同様にチェックする。
（ステップＳ３３１０）：
エリアｉが７以上になった場合は、同一ページ内のエリアのチェックが全て終わったと見なし、次の処理へ進む。６以下の場合はＳ３２０４に戻り、一連の処理を繰り返す。
（ステップＳ３３１１）：
ここでは、同一ページ内で、写真フラグがＯＮになっているエリアの数を算出し、レイアウトを変更する処理を行う。例えば、レイアウトパターンが６枚の場合、写真フラグがＯＮになっている数Ｎによって、Ｎ＝５，４，３，２，１のパターンに変更することができる。図８にそれぞれのレイアウトパターンの例を示した。エリア１に貼り付けられている写真が、ユーザに閲覧権のない写真である場合はＮ＝５となり、エリア１を消去して図９に示すようなレイアウトに変更する。
（ステップＳ３３１２）：
ここでは、上記ステップで、ユーザごとに又ページごとにレイアウトを変更した後に、この新しいレイアウトのエリアごとに、付属情報フラグがＯＮのエリアを抽出し、このエリアの所定の位置に、ユーザに付属情報があることを人目で分かるように、例えば、「Ｃｌｉｋ  Ｍｅ！」等のテキストを表示する。図１０の１００１は、エリア２とエリア３に、このユーザが閲覧できる付属情報が付加されている場合の例を示した図であり、１００２は、エリア２の部分を拡大した図である。
（ステップＳ３３１３）：
ここでは、レイアウト変更したアルバムのページをクライアントのPC画面に表示する。  又、ユーザがエリアの「Ｃｌｉｋ  Ｍｅ！」をマウス等でクリックすると、エリアに付加されている付属情報がサブウインドウに表示される。図１０の１００３は付属情報を表示した例を示している。
【図面の簡単な説明】
【００３１】
【図１】本発明のシステム構成図である。
【図２】本発明のＧＵＩである。
【図３−１】本発明のアルバムを作成する処理手順を説明する処理フローである。
【図３−２】本発明のレイアウト処理の手順を説明する処理フローである。
【図３−３】本発明のアルバムを閲覧する処理手順を説明する処理フローである。
【図４】本発明のユーザ管理テーブルを説明するための図である。
【図５】本発明のレイアウト情報テーブルを説明するための図である。
【図６】本発明のサムネイル画像を作成する方法を説明する図である。
【図７】本発明のアクセス権設定画面である。
【図８】本発明のレイアウトパターンを説明するための図である。
【図９】本発明のレイアウトを変更する処理を説明するための図である。
【図１０】本発明の付加情報の設定方法と表示方法を説明するための図である。
【符号の説明】
【００３２】
１０１    記録部
１０２    画像蓄積部
１０３    サムネイル蓄積部
１０４    付属情報蓄積部
１０５    操作指示入力部
１０６    表示部
１１０    ＣＰＵ
１１１    認証部
１１２    アクセス権設定部
１１３    アクセス権検証部
１１４    サムネイル作成部
１１５    初期レイアウト部
１１６    レイアウト変更部
１１７    付属情報抽出部
【図１】
2006221494.tif 000003
【図２】
2006221494.tif 000004
【図３−１】
2006221494.tif 000005
【図３−２】
2006221494.tif 000006
【図３−３】
2006221494.tif 000007
【図４】
2006221494.tif 000008
【図５】
2006221494.tif 000009
【図６】
2006221494.tif 000010
【図７】
2006221494.tif 000011
【図８】
2006221494.tif 000012
【図９】
2006221494.tif 000013
【図１０】
2006221494.tif 000014